(57)【特許請求の範囲】
【請求項１】
包装機械のためのフォーマーアセンブリであって、該アセンブリは、
前記アセンブリが管状袋材料を前記包装機械へ送るように、前記包装機械に対して固定されるよう構成されたフレームと、
前記フレームに取り付けられたフォーマーであって、該フォーマーはストリップ袋材料を受け入れ、かつ前記ストリップ袋材料を前記管状袋材料に形を変更するよう構成され、前記フォーマーは、前記ストリップ袋材料がその上を通ることによって形が変更されるフォーマー表面を含み、該フォーマー表面は、フォーマー開口部に向かって上方で収束する、フォーマーと、
前記フォーマー開口部の近隣に向かって下方へ延在する製品供給シュートであって、前記製品供給シュートを介して製品が前記管状袋材料の内部へ送られるよう構成された製品供給シュートと、
を含み、
前記フォーマーは、前記フォーマー開口部から下へ延在する管状部分を含み、
前記フレームは、対向する端部を有する中央の細長い基部と前記フォーマーがアームによって支持される状態で各端部から延在するアームとを有する細長いフレーム部材、および前記フォーマーを支持するために各端部から前記管状部分へ内向きに延在する支持部材とを含み、前記フレーム部材が中空であることにより、該フレーム部材を通り前記管状袋材料の内部へのガスの供給が提供される、フォーマーアセンブリ。
【請求項２】
前記フレーム部材は、管状であり、かつ前記基部およびアームを提供するように「Ｕ字状」構成である、請求項１に記載のフォーマーアセンブリ。
【請求項３】
前記基部から離れた先端部で終端するように前記各アームは前記基部から延在し、前記フォーマーは、前記先端部に隣接し少なくとも部分的に支持される、請求項１または２に記載のフォーマーアセンブリ。
【請求項４】
前記フォーマーは、下周辺部を有し、前記周辺部の少なくとも一部分は、湾曲し、前記周辺部は、前記先端部の間に延在する、請求項３に記載のフォーマーアセンブリ。
【請求項５】
前記フレームは、上方へ延在する供給シュート支持部を含み、該供給シュート支持部は、前記基部に取り付けられる下部および前記製品供給シュートに取り付けられる上部を有する、請求項１〜４のいずれか一項に記載のフォーマーアセンブリ。
【請求項６】
前記供給シュート支持部は、管状材料から形成される、請求項５に記載のフォーマーアセンブリ。
【請求項７】
前記フレーム部材は、前記管状袋材料の内部へのガスの送出を提供する、請求項１〜５のいずれか一項に記載のフォーマーアセンブリ。
【請求項８】
前記フォーマー表面は、前記フォーマー開口部から外向きかつ下方へ放射状に広がった複数のうねを有する、請求項１〜７のいずれか一項に記載のフォーマーアセンブリ。
【請求項９】
前記フォーマーは、前記フォーマー開口部を囲む弓状横断面の環状の縁を有し、かつ前記フォーマー表面は前記フォーマー開口部から下方へそれる、請求項１〜８のいずれか一項に記載のフォーマーアセンブリ。
【請求項１０】
前記縁は、玉縁である請求項９に記載のフォーマーアセンブリ。
【発明の詳細な説明】
【技術分野】
【０００１】
本発明は、包装機械のフォーマーに関する。
【背景技術】
【０００２】
フォーマーは、ストリップ形状の袋材料を受け入れるために用いられ、包装機械に供給するためにストリップを管状の袋材料に再構成する。製品は、包装機械の管の内部に運ばれ、その後製品の袋を形成するために、横の封止を形成し、かつ袋材料を横に切断する。特定の例では、製品は、ポテトチップなどのスナック食品とすることができる。
【０００３】
従来、スナック食品の袋などは、販売場所へ供給されるために箱に梱包される。より最近では、袋の大きさは大きくなってきている。これにより、管状袋材料の直径を大きくするようより広いストリップ袋材料が使用されるため、より大きなフォーマーを使用する必要がある。大きい袋はまた、多数のより小さい袋を受け入れるために用いられる。
【０００４】
フォーマーは、フォーマーの点検、および異なるサイズの袋を製造するためのフォーマーの交換を含む様々な理由により包装機械に隣接するそれらの台から取り除く必要がある。
【０００５】
フォーマーは、比較的重く、かつ扱いにくい位置に取り付けられている。
【０００６】
したがって、フォーマーの取り外しおよび交換には課題がある。
【０００７】
フォーマーアセンブリは、フォーマー表面を提供する金属シートを取り付ける取付板を含み、管形状に再構成されるようフォーマー表面上をストリップ袋材料が通過する。フォーマー表面は、上部開口部に向かい上方へ収束し、上部開口部を通り製品管が突出し、製品管を介して製品が袋材料の内部へ送られる。
【０００８】
上述のフォーマーアセンブリの不都合さは、フォーマーアセンブリが特に重くしたがって扱いが難しいということである。
【発明の概要】
【発明が解決しようとする課題】
【０００９】
本発明の目的は、上述の不都合を克服、または実質的に改善することである。
【課題を解決するための手段】
【００１０】
ここに包装機械のためのフォーマーアセンブリが示され、該アセンブリは、
アセンブリが管状袋材料を包装機械へ送ることができるように、包装機械に対して固定されるフレームと、
フレームに取り付けられたフォーマーであって、フォーマーはストリップ袋を受け入れ、かつストリップ材料を管状袋材料に再構成するよう設けられ、フォーマーは、その上をストリップ材料が再構成されるために通るフォーマー表面を含み、フォーマー表面は、フォーマー開口部に向かい上方へ収束する、フォーマーと、
隣接する開口部に向かい下方へ延在する製品供給管であって、開口部を介して製品が管状袋材料の内部へ送られる、製品供給管と、
を含み、
フレームは、対向する端部を有する中央の細長い基部を有する細長いフレーム部材と、各端部から延在するアームとを含み、フォーマーはアームによって支持される。
【００１１】
好ましくは、前記フレーム部材は、管状であり、かつ前記基部およびアームを提供するように「Ｕ字状」構成である。
【００１２】
好ましくは、基部から離れた先端部で終端するように各アームは基部から延在し、フォーマーは、先端部に隣接し少なくとも部分的に支持される。
【００１３】
好ましくは、支持部材は、フォーマーに固定され、かつアームは、フォーマーを支持する。
【００１４】
好ましくは、前記フォーマーは、下周辺部を有し、周辺部の少なくとも一部分は、湾曲し、周辺部分は、先端部の間に延在する。
【００１５】
好ましくは、前記フレームは、上方へ延在するシュート支持部を含み、シュート支持部は、基部に取り付けられる下部および前記供給シュートに取り付けられる上部を有する。
【００１６】
好ましくは、前記供給シュート支持部は、管状材料から形成される。
【００１７】
好ましくは、前記フレーム部材は、管状袋材料の内部へのガスの送出を提供する。
【００１８】
好ましくは、前記表面は、前記開口部から外向きかつ下方へ放射状に広がった複数のうねを有する。
【００１９】
好ましくは、前記フォーマーは、前記開口部を囲む弓状横断面の環状の縁を有し、かつ前記表面は開口部から下方へそれる。
【００２０】
好ましくは、前記縁は、玉縁(bead)である。
【００２１】
本発明の好ましい形は、添付の図面を参照して一例としてここに説明される。
【図面の簡単な説明】
【００２２】
【図１】包装機械のフォーマーアセンブリの概略等角図である。
【図２】図１のアセンブリを垂直に分割した概略等角図である。
【図３】図２のアセンブリの一部を拡大した概略等角図である。
【発明を実施するための形態】
【００２３】
添付の図面において、米国特許第５６２２０３２号、第７１５９３７６号および第４７５３３３６号に示されるような包装機械のためのフォーマーアセンブリ１０が図式的に示される。
【００２４】
フォーマーアセンブリ１０は、「Ｕ字形」構成の第１フレーム部材１２を含むフレーム１１を含み、そこから分岐アーム１４が延在する基部１３を有する。フレーム部材１２は、管状の構造であり、ガスが送られる長手方向に延在する通路を有する。
【００２５】
フレーム１１は、アーム１４の端部１５に固定される横方向の支持部材１６をさらに含み、部材１６は、内向きに延在する。
【００２６】
フレーム１１によって支持されているのは、フォーマー表面１８を有するフォーマー１７であり、ストリップ袋材料は管状形状に形成されるためにフォーマー表面上を通過する。表面１８は、直立軸１９をほぼ囲み、かつ軸１９の上方へ収束し、通過する軸１９を囲む環状のフォーマー開口部２０を形成する。開口部２０へ向かって延在しているのは、内部２２を有する製品供給管状シュート２１であり、その内部へ製品が送られ、製品の袋が形成される管状袋材料の内部へ送られる。
【００２７】
開口部２０は、シュート２１の下端部に位置し、表面１８に係合しかつ表面１８上を上方へ移動する袋材料は、開口部２０を通り下方へ方向が変えられ、包装機械の下の方向２３に延在することができる。
【００２８】
表面１８は、上方へ延在し、かつ開口部２０で終端し、開口部２０に隣接する環状の玉縁２３を有する。玉縁２３は、弓状の縁の形である。フォーマー１７の管状部分２４は、玉縁２３から下方へ延在する。管状袋材料は、下の包装機械へ送るために、シュート２１の管状部分２４の内部を下方へ滑る。
【００２９】
フォーマー１７は、フォーマー１７の管状部分２４に固定されている部材１６によって支持される。
【００３０】
フレーム１１は、基部から上方へ延在するように、基部１３に固定される中央取付部２５をさらに含む。取付部２５に固定されているのは、上方へ延在する支持部２６であり、該支持部は、シュート２１を支持するために、支持部の上端が製品供給シュート２１に固定されている。シュート２１はまた、取付部２５に取り付けられ、さらに取付部によって支持される。
【００３１】
フォーマー１７は、フォーマー１７の剛性を増すための補助になるよう折り畳まれた周辺横長部分３１を有する。この横長部分３１は、端部１５に固定された横部材２７に固定される。ローラー２８は、横部分２６に隣接するが離間して配置され、表面１８へのシート袋材料の送出の補助をする。したがってフォーマー１７は、アーム１４によって支持される。
【００３２】
一方または両方のアーム１５には、連結部２９が設けられ、それを介してガスが部材１２の内部へ送られる。部材１２が管状構造のため、ガスは、取付部２５に送られることができ、取付部から裏当部材（backing member）３０（管状部分２４から延在する）へガスが送られ、管状袋材料の内部へガスを送ることができる。必要な場合には、製品供給シュート２１内部へガスを送るために、部材２６はまた管状とすることができる。
【００３３】
表面１８は、開口部２０から外向きかつ下方へ放射状に広がるうね３２を有する。
【００３４】
管状部分２４は、フィルムが初めに管状部分２４へ供給される場合に、フィルムへのアクセスを提供するくぼみ３３を有する。
【符号の説明】
【００３５】
１０  フォーマーアセンブリ
１１  フレーム
１２  フレーム部材
１４  アーム
１５  端部
１６  支持部材
１７  フォーマー
１８  フォーマー表面
２０  開口部
２１  シュート
２２  内部
２３  玉縁
２４  管状部分
２５  取付部
２６  支持部
２７  横部材
２８  ローラー
２９  連結部
３０  裏当部材
３１  横長部分
【図１】
0005951296.tif 000002
【図２】
0005951296.tif 000003
【図３】
0005951296.tif 000004